(57)【特許請求の範囲】
【請求項１】
垂直な固定片と該固定片の両端を突出させた係止片とから略コ字状に形成し、裏面に長手方向に沿って一定ピッチで突出したスペーサ材を一体に形成した係止用下地と、垂直な化粧面と該化粧面の両端を突出させた側面化粧片とから略コ字状に形成した化粧カバーとを備え、窓上に施工された乾式壁材の下端部に沿って、係止用下地が配設されていると共に、該係止用下地は固定片上から固定具にて乾式壁材の端部を介して下地材に取り付けられており、さらには、係止用下地の係止片に化粧カバーの側面化粧片を嵌合することにより、係止用下地に化粧カバーが取り付けられていることを特徴とする窓上の外装構造。
【発明の詳細な説明】
【０００１】
【発明の属する技術分野】
本発明は建築、構築物における窓上の外装構造に関するものであり、さらに詳しくは、窓やドア等の開口部上に施工される乾式壁材の下端部を係止用下地と化粧カバーにて覆い、防水性と耐久性、美観性を向上した窓上の外装構造に関するものである。
【０００２】
【従来の技術】
従来、乾式壁材を用いた窓上の外装構造としては、図１８の断面図に示すように施工されているのが一般的であった。すなわち、図１８において、１は上部サッシ、２は胴縁、当て木等の下地材、３は水切り材、４はバックアップ材、５はシーリング材、６は通気性防水シート、７は保護膜、８は木口面、Ａは乾式壁材、αは釘等の固定具である。
【０００３】
窓上部に位置する乾式壁材Ａの下端部は、バタツキを抑えるために、表面から固定具αにて脳天打ちされており、さらに、外観に表れる固定具αの頭部（釘頭）を防水処理と美観性の向上のため、乾式壁材Ａの化粧面色と同色系の不定形シーリング材やタッチペイント（塗料）等からなる保護膜７にて被覆されているものである。
【０００４】
【発明が解決しようとする課題】
しかしながら、上記のような構造では、保護膜７は一時的には防水性を発揮するものの、耐久性に欠点があり、３〜５年位で経時変化により剥がれたり、収縮してひび割れが発生したりして機能が劣化するので、定期的に補修やメンテナンスをする必要があった。また、窓が建物の上層部にある場合は、乾式壁材Ａの木口面８が下から見上げると外観に表れてしまったり、さらに、保護膜７自体が目立ってしまって、建物全体の美観性を損なう場合もあった。
【０００５】
【課題を解決するための手段】
本発明はこのような課題を解決するため、窓上に施工された乾式壁材の下端部に沿って、係止用下地が配設されていると共に、係止用下地は固定片上から固定具にて乾式壁材の端部を介して下地材に取り付けられており、さらには、係止用下地の係止片に化粧カバーの側面化粧片を嵌合することにより、係止用下地に化粧カバーが取り付けられている構造としたので、乾式壁材の下端を美観性良く覆うと共に、強固に下地材に取り付けられ、しかも乾式壁材の木口面も見えないようにカバーするこができ、さらには、耐久性と防水性を向上させた窓上の外装構造を提案するものである。
【０００６】
【発明の実施の形態】
以下に図面を用いて本発明に係る窓上の外装構造について詳細に説明する。図１およびその断面図である図２は、上記構造の代表的な一実施例を示す説明図であり、１は上部サッシ、２は胴縁、当て木等の下地材、３は水切り材、４はバックアップ材、５はシーリング材、６は通気性防水シート、Ａは乾式壁材、Ｂは係止用下地、Ｃは化粧カバー、αは釘等の固定具である。
【０００７】
すなわち、窓上部に上部サッシ１が固定具αを介して下地材２に固定されており、さらに、上部サッシ１上には当て木からなる下地材２は配設され、この下地材２を被覆するように水切り材３が固定されており、水切り材３上に通気性防水シート６が配設されているものである。
【０００８】
また、上部サッシ１と水切り材３との間には、３角シーリングを防ぐためにバックアップ材４を充填すると共に、不定形のシーリング材５を充填して防水処理を施しているものである。
【０００９】
なお、上部サッシ１は図では一般的な半外付けサッシの例を示したが、内付けサッシや外付けサッシ等を用いることも可能である。勿論、サッシの種類に合わせて、当て木や胴縁等の下地材２の配設位置や大きさも変化するものである。
【００１０】
乾式壁材Ａは例えば、金属パネルや金属サイディング材、各種窯業系サイディング材、セラミック壁材等からなり、より具体的には、図３に示すように、表面材９と裏面材１０とで芯材１１をサンドイッチした長尺板材からなるものである。
【００１１】
表面材９、裏面材１０は金属薄板材からなる場合は、例えば鉄、アルミニウム、銅、ステンレス、チタン、アルミ・亜鉛合金メッキ鋼板、ガルバリウム鋼板、ホーロー鋼板、クラッド鋼板、フッ素樹脂鋼板、ラミネート鋼板（塩ビ鋼板等）、サンドイッチ鋼板（制振鋼板等）、（勿論、これらを各種色調に塗装したカラー板を含む）の一種を押出成形、ロール成形、プレス成形して所定形状に形成したものである。
【００１２】
また、表面材９、裏面材１０は合成樹脂板からなる場合は、例えば塩ビ樹脂、ポリカーボネイト樹脂等を押出成形、プレス成形、ロール成形等を行って所定形状に形成したものである。勿論、これら金属板と合成樹脂板とを積層複合した素材としても良いものである。
【００１３】
さらに、特に裏面材１１をアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物から形成することもできる。
【００１４】
芯材１１は乾式壁材Ａの主に断熱材、防火材、嵩上材として機能するものであり、ポリウレタン、ポリイソシアヌレート、フェノール、塩化ビニル、ポリエチレン、ポリスチレン、ユリア等の合成樹脂やその発泡体、もしくはケイ酸カルシウム、炭酸カルシウム、水酸化アルミニウム等の無機材やその発泡体、あるいはガラス繊維、セラミック繊維、岩綿、アスベスト等の繊維質マット状物、石膏ボード等からなるものである。
【００１５】
また、芯材１１と表面材９および裏面材１０との一体化は、例えば芯材１１が合成樹脂発泡体の際はその自己接着性を利用して、またそれ以外の際には別途接着剤（図示せず）を介して一体に積層し、サンドイッチするものである。
【００１６】
さらに図３は、乾式壁材Ａの一側端に雄型連結部１２を、他側端に雌型連結部１３を形成した一般的な横張り型の金属サイディング材を示す例である。
【００１７】
また、図４に示すように、上部サッシ１上に位置する乾式壁材Ａには、その雌型連結部１３部を窓の幅と同様な幅Ｗで凹状に切り欠いた、切り欠き部１４が形成されるものである。
【００１８】
特に、表面材９、裏面材１０、芯材１１からなるサンドイッチ形状の乾式壁材Ａでは図５に示すように、切り欠き部１４において、表面材９をそのまま芯材１１側に折り曲げた折り曲げ舌片１５を形成するのが好ましいものである。これは、切り欠き部１４の切断面である木口面８が、下から見上げても外観に表れないように、後記する化粧カバーＣと共に被覆すると共に、芯材１１の保護にもなるものである。
【００１９】
係止用下地Ｂは、窓上の水切り材３上に乾式壁材Ａの下端部に沿って配置され、固定具αにより乾式壁材Ａの下端部を介して下地材２に固定されるものであり、乾式壁材Ａの固定材、乾式壁材Ａ下端部および木口面８のカバー材、化粧材、そして、後記する化粧カバーＣの係止材として機能するものである。
【００２０】
その代表的な形状としては、例えば図６（ａ）、（ｂ）に示すように、垂直な固定片１６と、固定片１６の両端を突出させた係止片１７とから、断面を略コ字状に形成した長尺体、もしくは短尺体からなるものである。
【００２１】
さらに、固定片１６の表面側の略中央部には、窪ませた溝条１８を形成し、固定片１６の裏面側には、任意ピッチＰで棒状のスペーサ材１９を熱融着、接着剤や両面テープ、嵌合、等の貼着手段を用いて一体に装着したものである。そして、係止片１７の先端には、外側方に突出させた係止爪２０を形成したものである。
【００２２】
図１、図２に示すように、固定片１６に形成した溝条１８は、固定具αの位置決めガイド、および打設の際の係止用下地Ｂの破損防止やズレ防止を図るものである。スペーサ材１９は、固定片１６の裏面と相隣るスペーサ材１９とで凹状の流水路２１を形成し、図２に矢印で示すように、乾式壁材Ａの表面を伝ってきた雨水等を速やかに水切り材３に流水させ、雨水が乾式壁材Ａの表面と化粧カバーＣとの接点で滞留するのを防止して、錆の発生を防止し、耐久性を向上するものである。
【００２３】
係止片１７および係止片１７の先端に形成した係止爪２０は、後記する化粧カバーＣの側面化粧片２３および係合爪２４に嵌合し、化粧カバーＣを弾性係合して取り付ける部分である。
【００２４】
また、係止用下地Ｂは窓の上部の長さに沿って、長尺状のものを１本通しで配置したり、あるいは、短尺状のものを任意ピッチで複数同一線上に配置したりすることもできる。
【００２５】
化粧カバーＣは、耐久性に優れ、係止用下地Ｂに弾性嵌合して固定され、乾式壁材Ａの端部を美観性良く覆う化粧材として機能するものである。
【００２６】
その代表的な形状の例としては、図７（ａ）、（ｂ）に示すように、垂直な化粧面２２と化粧面２２の両端を斜めに突出させた側面化粧片２３とから、略断面を略コ字状に形成した長尺体からなるものである。
【００２７】
また、側面化粧片２３の先端を内側方に屈曲した係合爪２４を形成したものである。化粧面２２および側面化粧片２３は表面に表れる化粧材として機能するものであり、係合爪２４は図８に矢印で示すように、係止用下地Ｂの係止爪２０に弾性係合され、化粧カバーＣを係止用下地Ｂに強固に固定するものである。
【００２８】
さらに、窓上に施工した化粧カバーＣの両端部には、図９（ａ）、（ｂ）示すような、端部キャップＤをはめ込むものである。すなわち、端部キャップＤは、底部２５、中空部２６を有する筒状であり、その形状は化粧カバーＣの略断面とほぼ同一な形状とするものである。
【００２９】
端部キャップＤの装着は、図１０に示すように、化粧カバーＣの両端部に中空部２６を差し込むことにより固定されるものであり、化粧カバーＣ端部の化粧材、および防水材として機能するものである。
【００３０】
なお、係止用下地Ｂ、化粧カバーＣ、端部キャップＤの素材としては、各種金属材、例えば鉄、アルミニウム、銅、ステンレス、チタン、アルミ・亜鉛合金メッキ鋼板、ガルバリウム鋼板、ホーロー鋼板、クラッド鋼板、フッ素樹脂鋼板、ラミネート鋼板（塩ビ鋼板等）、サンドイッチ鋼板（制振鋼板等）、（勿論、これらを各種色調に塗装したカラー板を含む）の一種、あるいは、各種合成樹脂材、例えば塩化ビニル樹脂、ＦＲＰ、ポリカーボネイト等を押出成形、ロール成形、プレス成形して所定形状に形成したものである。
【００３１】
以上説明したのは、本発明に係る窓上の外装構造の一実施例であり、図１１〜図１７に示すような部材を用いた外装構造とすることができる。
【００３２】
すなわち、図１１〜図１３は乾式壁材Ａのその他の例を示す断面図であり、図１１（ａ）〜（ｃ）、図１２（ａ）〜（ｃ）は落とし込み型で、主に横張りに用いられる乾式壁材Ａの例、図１３（ａ）〜（ｃ）は差し込み型で主に縦張りに用いられる乾式壁材Ａの例である。
【００３３】
図１４〜図１７は係止用下地Ｂのその他の例を示す説明図であり、図１４（ａ）はスペーサ材１９を広幅とした例、図１４（ｂ）はスペーサ材１９の長さを、固定片１６より短めに形成した例である。
【００３４】
図１５（ａ）は凸部２７と凹部２８が連続的に形成されているシート状物からなるスペーサ材１９を装着した例、図１５（ｂ）は任意の間隔を設けて凸部２７と凹部２８を連続的に形成したスペーサ材１９を装着した係止用下地Ｂの例である。
【００３５】
図１６（ａ）に示す係止用下地Ｂは、固定片１６の両端を断面Ｌ字状に切り欠いた係止溝２９を形成すると共に、スペーサ材１９を図１６（ｂ）に示すように、両端を突出させた係止片３０を有するものとし、これらを、図１６（ｃ）に矢印で示すように、係止溝２９に係止片３０を弾性を利用して係止し、スペーサ材１９を一体に装着した例である。
【００３６】
図１７（ａ）に示す係止用下地Ｂは、固定片１６の裏面に、凹状に切り欠いた係合溝３１を形成すると共に、スペーサ材１９を図１７（ｂ）に示すように、途中を凸状に突出させた係合爪３２を有するものとし、これらを、図１７（ｃ）に矢印で示すように、係合溝３１に係合爪３２を弾性を利用してはめ込み、スペーサ材１９を一体に装着した例である。
【００３７】
【発明の効果】
以上説明したように本発明に係る窓上の外装構造によれば、▲１▼乾式壁材の下端を美観性良く、防水性を高めて覆うことができる。▲２▼乾式壁材の下端を固定具により強固に下地材に取り付けることができ、しかも固定具は一切外観に表れない構造となり、耐久性が向上する。▲３▼窓が高層にある場合でも、下から見上げても乾式壁材の木口面が見えることが無く、建物の美観性を損なわない。▲４▼係止用下地にスペーサ材を設けたので、乾式壁材の表面を伝わる雨水等を、滞留することなく速やかに下方へ排出することができる。等の特徴、効果がある。
【図面の簡単な説明】
【図１】本発明に係る窓上の外装構造の代表例を示す説明図である。
【図２】本発明に係る窓上の外装構造の代表例を示す説明図である。
【図３】乾式壁材の一例を示す説明図である。
【図４】乾式壁材の一例を示す説明図である。
【図５】乾式壁材の一例を示す説明図である。
【図６】係止用下地の一例を示す説明図である。
【図７】化粧カバーの一例を示す説明図である。
【図８】係止用下地と化粧カバーとの装着を示す説明図である。
【図９】端部キャップの一例を示す説明図である。
【図１０】端部キャップと化粧カバーＣの装着を示す説明図である。
【図１１】乾式壁材の一例を示す説明図である。
【図１２】乾式壁材の一例を示す説明図である。
【図１３】乾式壁材の一例を示す説明図である。
【図１４】係止用下地のその他の例を示す説明図である。
【図１５】係止用下地のその他の例を示す説明図である。
【図１６】係止用下地のその他の例を示す説明図である。
【図１７】係止用下地のその他の例を示す説明図である。
【図１８】従来の例を示す説明図である。
【符号の説明】
α  固定具
Ａ  乾式壁材
Ｂ  係止用下地
Ｃ  化粧カバー
Ｄ  端部キャップ
１  上部サッシ
２  下地材
３  水切り材
４  バックアップ材
５  シーリング材
６  通気性防水シート
７  保護膜
８  木口面
９  表面材
１０  裏面材
１１  芯材
１２  雄型連結部
１３  雌型連結部
１４  切り欠き部
１５  折り曲げ部
１６  固定片
１７  係止片
１８  溝条
１９  スペーサ材
２０  係止爪
２１  流水路
２２  化粧面
２３  側面化粧片
２４  係合爪
２５  底部
２６  中空部
２７  凸部
２８  凹部
２９  係止溝
３０  係止片
３１  係合溝
３２  係合爪
【図１】
0003941846.tif 000002
【図２】
0003941846.tif 000003
【図３】
0003941846.tif 000004
【図４】
0003941846.tif 000005
【図５】
0003941846.tif 000006
【図６】
0003941846.tif 000007
【図７】
0003941846.tif 000008
【図８】
0003941846.tif 000009
【図９】
0003941846.tif 000010
【図１０】
0003941846.tif 000011
【図１１】
0003941846.tif 000012
【図１２】
0003941846.tif 000013
【図１３】
0003941846.tif 000014
【図１４】
0003941846.tif 000015
【図１５】
0003941846.tif 000016
【図１６】
0003941846.tif 000017
【図１７】
0003941846.tif 000018
【図１８】
0003941846.tif 000019